(57)【特許請求の範囲】
【請求項１】
通信線とグランドとの間に接続され、当該通信線上に通信信号を出力するための出力トランジスタと、
この出力トランジスタのベースに接続され、当該出力トランジスタを電流駆動する駆動回路と、
前記通信信号を出力するため、入力される送信信号に基づく台形波電圧信号を生成して前記駆動回路に出力する台形波信号生成回路と、
前記台形波電圧信号に基づき前記通信線上にハイレベル信号を出力する場合は、前記出力トランジスタをＯＦＦさせるように前記駆動回路を制御する制御回路とを備え、
前記駆動回路は、前記出力トランジスタを定電流駆動し、副トランジスタ側に前記出力トランジスタのベースが接続されると共に前記台形波電圧信号が印加されるカレントミラー回路を備え、
前記制御回路は、前記カレントミラー回路を構成する主トランジスタに対して、ベース電流を供給する定電流回路を備え、前記通信線上にハイレベル信号を出力する場合は前記定電流回路をＯＦＦさせるように構成されていることを特徴とする出力トランジスタの駆動制御装置。
【請求項２】
前記定電流回路は、前記台形波電圧信号に応じて定電流出力がＯＮ，ＯＦＦされることで、台形波状に変化する定電流（台形波定電流）を供給する台形波定電流回路であり、
前記カレントミラー回路を構成する主トランジスタのベースに対して、前記台形波定電流を供給することを特徴とする請求項１記載の出力トランジスタの駆動制御装置。
【請求項３】
前記制御回路は、前記送信信号のレベル変化に応じて、微小定電流の供給をＯＮ，ＯＦＦさせる微小定電流回路を備え、前記カレントミラー回路を構成する主トランジスタのベースに対して、前記微小定電流と前記台形波定電流との合成電流を供給することを特徴とする請求項２記載の出力トランジスタの駆動制御装置。
【発明の詳細な説明】
【技術分野】
【０００１】
本発明は、通信線とグランドとの間に接続され、当該通信線上に通信信号を出力するための出力トランジスタを駆動制御する装置に関する。
【背景技術】
【０００２】
特許文献１には、車両用ネットワークのトランシーバＩＣにおいて、通信線上に信号を出力するためのトランジスタに台形波信号を与えて駆動することで、通信線上における急峻な信号変化により発生するノイズの抑制を図る技術の一例が開示されている。図８には、特許文献１に開示されている構成を概略的に示す。
【０００３】
通信用ＩＣ１は、制御装置２に通信線３を介して接続されており、その通信線３は、電源線４に抵抗５及びダイオード６（逆方向）を介して接続されることでプルアップされている。通信用ＩＣ１側において、通信線３は入出力端子７に接続されており、制御装置２側より送信された信号は、レシーバ８を介して受信信号端子１０に出力される。また、通信用ＩＣ１側でも、入出力端子７は電源線１１に抵抗１２及びダイオード１３を介して接続されている。
一方、送信信号が与えられる端子１４は、送信アンプ１５，台形波信号生成回路１６及び電流増幅部１８を介して、信号出力用のＰＮＰトランジスタ１７のベースに接続されている。トランジスタ１７のエミッタは入出力端子７に接続されており、コレクタはグランドに接続されている。また、トランジスタ１７のベースとグランドとの間には定電流回路１９が接続されている。即ち、トランジスタ１７によりエミッタフォロワ回路が構成されている。
【０００４】
上記構成において、トランジスタ１７は、通信線３上の信号レベルをロウに駆動するために必要とされるシンク電流を流すように定電流回路１９により常時バイアスされており、動作状態にある。そして、通信用ＩＣ１が制御装置２にハイレベルの信号を送信する場合は、送信信号に基づき台形波信号生成回路１６が台形波信号（反転）を生成しトランジスタ１７のベースに重畳することでトランジスタ１７を駆動する。すると、通信線３上には、波形の立上り，立下りに傾斜を有する台形波状の電圧信号が出力される。
【特許文献１】特開２００４−２８９５９７号公報
【発明の開示】
【発明が解決しようとする課題】
【０００５】
しかしながら、上記構成では、通信線３のレベルをハイに維持する場合でも、トランジスタ１７は定電流回路１９によってバイアスされ、ベース電流が流れ続けている（図９（ｅ）参照）。従って、図９（ａ）に示すように、電源線１１にノイズが載った場合には、そのノイズが台形波信号生成回路１６を介してトランジスタ１７のベースに印加され（（ｃ）参照）、通信線３上にそのまま出力されてしまうおそれがある（（ｄ）参照）。
これは、送受信が共通の信号線により行なわれ、通信相手より送信される信号を受信するためにトランジスタ１７により通信線をドライブする必要がない場合でも同様であり、その際には、自身が受信する信号にノイズが印加されることになる。また、車両のオルタネータのようにリップルが発生する機器に搭載されるＩＣにおいては、上記の電源電圧変動は発生し易くなる。
【０００６】
本発明は上記事情に鑑みてなされたものであり、その目的は、台形波電圧信号に基づき出力トランジスタを駆動して通信信号を送信する構成において、出力トランジスタを動作させる必要がない場合は確実にＯＦＦにできる駆動制御装置を提供することにある。
【課題を解決するための手段】
【０００７】
請求項１記載の出力トランジスタの駆動制御装置によれば、制御回路は、台形波電圧信号に基づき通信線上にハイレベル信号を出力する場合、出力トランジスタをＯＦＦさせるように駆動回路を制御する。従って、送信側の電源線などにノイズが重畳されたとしても、そのノイズによって出力トランジスタが駆動されてしまうことを回避できる。
【０００８】
具体的には、駆動回路を構成するカレントミラー回路の副トランジスタ側には、出力トランジスタのベースが接続されると共に台形波電圧信号が印加される。そして、制御回路は、カレントミラー回路を構成する主トランジスタにベース電流を供給する定電流回路を、通信線上にハイレベル信号を出力する場合はＯＦＦさせる。すると、カレントミラー回路の副トランジスタ側にミラー電流が流れなくなり、駆動回路による出力トランジスタの電流駆動が停止されて出力トランジスタはＯＦＦされる。ここで、カレントミラー回路の「主トランジスタ」は、共通に接続される入力端子が自身の出力端子の一方に接続されている側のトランジスタを示しており、「副トランジスタ」は、主トランジスタ側に流れる電流をミラーさせて流す側のトランジスタを示す。
【０００９】
請求項２記載の出力トランジスタの駆動制御装置によれば、定電流回路は、台形波電圧信号に応じて定電流出力がＯＮ，ＯＦＦされることで台形波定電流を供給する台形波定電流回路であり、カレントミラー回路を構成する主トランジスタのベースに上記台形波定電流を供給する。
【００１０】
即ち、駆動回路による電流駆動が停止する方向に動作する場合に出力トランジスタがＯＦＦ側に変化することで、通信線上には台形波電圧信号が出力される。逆に、出力トランジスタがＯＮ側に変化する場合も台形波電圧信号が出力される。その際、出力トランジスタを介して流れる電流波形の傾きについても、ノイズを抑制する観点からは台形波状に変化することが望ましい。従って、制御回路を上記のように構成すれば、駆動回路のカレントミラー回路を構成する主トランジスタのベースには、台形波電圧信号に応じて供給される台形波定電流が供給されて出力電流変化の傾きが制御されるので、出力電流の急激な変化を極力抑制してノイズの発生を抑えることができる。
【００１１】
請求項３記載の出力トランジスタの駆動制御装置によれば、制御回路は、送信信号のレベル変化に応じて微小定電流の供給をＯＮ，ＯＦＦさせる微小定電流回路を備え、カレントミラー回路を構成する主トランジスタのベースに微小定電流と台形波定電流との合成電流を供給する。即ち、請求項２のように出力電流波形を単に台形波状に変化させると、出力トランジスタの動作状態が飽和領域から活性領域に移行する間の時間をより長く要することになり、出力トランジスタの電流応答が若干遅れてしまう。
【００１２】
そこで、制御回路を上記のように構成すれば、駆動回路のカレントミラー回路を構成する主トランジスタのベースには、送信信号のレベル変化に応じて最初に微小定電流が供給されることで出力トランジスタを直ちに飽和領域から活性領域に移行させることができ、その後は、台形波電圧信号に応じて供給される台形波定電流により出力電流変化の傾きが制御される。従って、出力電流の急激な変化を極力抑制してノイズの発生を抑えると共に、出力電流応答を良好に維持することができる。尚、ここで言う「微小定電流」とは、台形波定電流の電流値に比較して「微小と」といえる電流であり、その電流値は、例えば台形波定電流の１００分の１程度のオーダーである。
【発明を実施するための最良の形態】
【００１３】
（第１実施例）
以下、本発明の駆動制御装置を車両用通信ネットワークのトランシーバＩＣに適用した場合の第１実施例について図１乃至図３を参照して説明する。通信プロトコルとしては、例えばＬＩＮ（Local Interconnect Network）等を想定している。図１は、トランシーバＩＣ２０の構成を示す回路図である。入力端子２１には、公知の台形波信号生成回路２２（例えば、特開２００２−１５２０１５号公報などに開示されている）により生成される台形波電圧信号が入力されるようになっている。
【００１４】
ＮＰＮトランジスタＱ１及びＱ２は、エミッタがグランド線（ＧＮＤ）２３に接続され、べースがトランジスタＱ２のコレクタに共通に接続されることでミラー対を構成しており、トランジスタＱ１のコレクタは入力端子２１に接続されている。また、トランジスタＱ２のコレクタは、ＰＮＰトランジスタＱ４のベースに接続されており、トランジスタＱ４のコレクタはＮＰＮトランジスタＱ５のコレクタに接続されている。ＮＰＮトランジスタＱ５及びＱ９は、エミッタがグランド線２３に接続され、べースがトランジスタＱ５のコレクタに共通に接続されることでミラー対を構成している。
【００１５】
トランジスタＱ４のエミッタは、ＰＮＰトランジスタＱ３のコレクタに接続されており、トランジスタＱ３のエミッタは電源線２４に接続されている。また、電源線２４とグランド線２３との間には、ＰＮＰトランジスタＱ６及びＱ７がエミッタ−コレクタの順で直列に接続されている。トランジスタＱ３及びＱ６のベースは、ミラー対を構成する図示しないトランジスタのベースに共通に接続されており、トランジスタＱ７のベースは入力端子２１に接続されている。
【００１６】
ＮＰＮトランジスタＱ８のコレクタは、抵抗２５を介して電源線２４に接続されており、ベースはトランジスタＱ７のエミッタに、エミッタはトランジスタＱ９のコレクタに接続されている。ＮＰＮトランジスタＱ１１（主トランジスタ）及びＱ１３（副トランジスタ）は、エミッタがグランド線２３に接続され、べースがトランジスタＱ１１のコレクタに共通に接続されることでミラー対を構成している。トランジスタＱ１１のコレクタはＰＮＰトランジスタＱ１０のコレクタ−エミッタを介して電源線２４に接続されている。
電源線２４とグランド線２３との間には、ＰＮＰトランジスタＱ２１及びＱ２２がエミッタ−コレクタの順で直列に接続されており、トランジスタＱ２１のベースはトランジスタＱ３及びＱ６のベースと共通に接続され、トランジスタＱ２２のベースはトランジスタＱ８のエミッタに接続されている。
【００１７】
ダイオード２６〜２８のアノードは何れも電源線２４に接続されており、ダイオード２６のカソードはＮＰＮトランジスタＱ１２のコレクタに接続されている。トランジスタＱ１２のエミッタはトランジスタＱ１３のコレクタ及びＰＮＰトランジスタＱ１４（出力トランジスタ）のベースに接続されており、ベースは、トランジスタＱ２２のエミッタに接続されている。
ダイオード２７のカソードは抵抗２９を介してトランジスタＱ１４のベースに接続されており、ダイオード２８のカソードは抵抗３０を介してトランジスタＱ１４のエミッタに接続されている。トランジスタＱ１４のコレクタはグランド線２３に接続されており、エミッタは入出力端子３１に接続されている。入出力端子３１は、図８に示す通信線３などに接続されている。
【００１８】
ＮＰＮトランジスタＱ１７及びＱ１８は、エミッタがグランド線２３に接続され、べースがトランジスタＱ１７のコレクタに共通に接続されることでミラー対を構成している。トランジスタＱ１７のコレクタはＰＮＰトランジスタＱ１５のコレクタ−エミッタを介して電源線２４に接続されており、トランジスタＱ１８のコレクタは、抵抗３２を介して電源線２４に接続されていると共に、ＰＮＰトランジスタＱ１９のベース，並びにコレクタ−エミッタを介して電源線２４に接続されている。
【００１９】
トランジスタＱ１７のコレクタ−エミッタ間にはＮチャネルＭＯＳＦＥＴ＿Ｑ１６が並列に接続されている。ＦＥＴ＿Ｑ１６のゲートには、図示しない信号出力回路より送信信号が与えられるようになっている。トランジスタＱ１５のベースは、ミラー対を構成する図示しないトランジスタのベースに共通に接続されており、トランジスタＱ１９のベースは、トランジスタＱ１０のベースに接続されている。
以上において、トランジスタＱ１１及びＱ１３はカレントミラー回路３３を構成しており、トランジスタＱ１０〜１４，Ｑ２１及びＱ２２を中心とする回路が駆動回路３４を構成している。また、トランジスタＱ１５〜Ｑ１８は定電流回路（制御回路）３５を構成している。
【００２０】
次に、本実施例の作用について図２及び図３も参照して説明する。定電流回路３５は、送信信号がロウレベルであり、ＦＥＴ＿Ｑ１６がＯＦＦしていればトランジスタＱ１８のコレクタに定電流を流し、送信信号がハイレベルとなりＦＥＴ＿Ｑ１６がＯＮすると定電流の出力を停止する。そして、定電流回路３５において定電流が流れると、駆動回路３４を構成するトランジスタＱ１０にベース電流が流れ、カレントミラー回路３３が動作してトランジスタＱ１３のコレクタにも電流が流れる。この時、トランジスタＱ１４はＯＮとなるので、入出力端子３１はロウレベルとなる。
一方、トランジスタＱ１及びＱ２，トランジスタＱ５及びＱ６よりなるカレントミラー回路は常時ＯＮ状態にある。そして、トランジスタＱ１のコレクタ及びトランジスタＱ７のベース電位は、トランジスタＱ７，Ｑ８，Ｑ２２，Ｑ１２を介してトランジスタＱ１４のコレクタに伝達される。即ち、トランジスタＱ７のベースとトランジスタＱ１４のコレクタとは同電位になる。
【００２１】
そして、図２（ａ）に示すように送信信号のレベルがロウからハイに変化すると、トランジスタＱ１０のベース電流が流れなくなりトランジスタＱ１４はＯＮからＯＦＦに変化する。この時、送信信号の上記レベル変化に同期して台形波信号生成回路２２により台形波電圧信号がトランジスタＱ７のベースに印加されるので、その電圧信号はトランジスタＱ１４のベースに伝達される。結果として、入出力端子３１には台形波電圧信号と同じ波形の電圧信号が出力される。
尚、図２（ｂ）には、比較のため従来構成に対応する送信信号の変化と、出力トランジスタ１７を駆動する定電流回路１９の動作状態を示す。従来構成では、定電流回路１９は、トランジスタ１７のベース電流は、入出力端子７のレベルをロウに維持するために必要とされるベース電流（例えば数ｍＡ）を常時供給するように構成されている。
【００２２】
これに対して、本実施例のトランシーバＩＣ２０は以上のように動作する結果、図３に示すように、送信時において送信信号レベルがハイの場合に（（ｂ）参照）電源電圧の変動が発生したとしても（（ａ）参照）、トランジスタＱ１４はＯＦＦしているため、電圧変動の影響が入出力端子３１にそのまま現れることは防止される（（ｄ）参照）。また、受信時においてもトランジスタＱ１４はＯＦＦし続けているので、同様に電圧変動の影響が及ぶことはない。
【００２３】
以上のように本実施例によれば、トランシーバＩＣ２０において、定電流回路３５は、台形波電圧信号に基づき通信線３上にハイレベル信号を出力する場合、出力トランジスタＱ１４をＯＦＦさせるように駆動回路３４を制御する。従って、送信側の電源線２４などにノイズが重畳されたとしても、そのノイズによって出力トランジスタＱ１４が駆動されてしまうことを回避できる。特に、車両に搭載されるオルタネータのようにノイズを発生させ易い機器の近傍で通信を行う必要があるシステムには好適である。
【００２４】
具体的には、駆動回路３４を構成するカレントミラー回路３３のトランジスタＱ１３側には、出力トランジスタＱ１４のベースを接続すると共に台形波電圧信号を印加し、カレントミラー回路３３を構成するトランジスタＱ１１にベース電流を供給する定電流回路３５を通信線３上にハイレベル信号を出力する場合はＯＦＦさせるようにした。従って、カレントミラー回路３３のトランジスタＱ１３側にミラー電流が流れなくなり、駆動回路３４による出力トランジスタＱ１４の電流駆動が停止されて出力トランジスタＱ１４はＯＦＦされる。
【００２５】
（第２実施例）
図４乃至図６は本発明の第２実施例であり、第１実施例と同一部分には同一符号を付して説明を省略し、以下異なる部分についてのみ説明する。第２実施例のトランシーバＩＣ（駆動制御装置）４１は、第１実施例の定電流回路３５を定電流回路（制御回路，微小定電流回路）４２に置き換えている。定電流回路４２は、ミラー対を構成するトランジスタＱ１７及びＱ１８をトランジスタＱ３１及びＱ３２に置き換えたもので、第１実施例の定電流回路３５が流す定電流値が数ｍＡであったとすると、その１／１００程度のオーダーである数１０μＡとなるように設定されている。
【００２６】
また、トランジスタＱ１９のコレクタは、抵抗４３並びにＰＮＰトランジスタＱ２０のエミッタ−コレクタを介してグランド線２３に接続されている。そして、トランジスタＱ２０のベースは、トランジスタＱ８のエミッタに接続されている。以上の構成において、トランジスタＱ１９，Ｑ２０、並びに抵抗３２，４３は、台形波定電流回路（制御回路）４４を構成している。そして、台形波定電流回路４４は、第１実施例の定電流回路３５と同レベルの数ｍＡの定電流を出力するように構成されている。尚、台形波信号生成回路２２の図示は省略している。
【００２７】
次に、第２実施例の作用について図５も参照して説明する。送信信号レベルがロウ→ハイ→ロウに変化する場合に、入出力端子３１に台形波電圧信号が出力される作用は第１実施例と全く同様である。台形波定電流回路４４は、台形波電圧信号がロウレベルの場合はトランジスタＱ２０がＯＮすることでトランジスタＱ１０のベースに対して数ｍＡの定電流に相当するベース電流を引く。そして、トランジスタＱ２０のベースにおける台形波電圧信号のレベル変化に応じて、定電流が出力→停止→出力に変化する際の波形の立下り，立上りの傾きは、台形波電圧信号（を反転した信号）の傾きとなる。
従って、送信信号がハイレベルとなる期間は、トランジスタＱ１０のベース電流は定電流回路４２の定電流（以下、微小定電流と称す）と、台形波定電流回路４４の定電流（以下、台形波定電流と称す）との合成電流になり、入出力端子３１における電流波形の変化は、詳細には以下のようになる。
【００２８】
図５に示すように、微小定電流の出力は送信信号がハイレベルになる期間に停止し、台形波定電流の出力状態は台形波電圧信号の反転波形と相似になる。従って、これらの合成となるトランジスタＱ１０のベース電流，また、トランジスタＱ１３によって流されるトランジスタＱ１４のベース電流は、送信信号の立上りの時点で数ｍＡに相当するレベルから微小定電流の数１０μＡに相当するレベルだけ直ちに低下し、そこから、台形波定電流の傾きに応じて低下する。また、ベース電流が再び流れる場合は、微小定電流の数１０μＡに相当するレベルだけ直ちに上昇してから台形波定電流の傾きに応じて上昇するようになる。従って、入出力端子３１における電流波形の変化は、上記ベース電流の変化と同様になる。
【００２９】
以上のような出力電流波形の変化は次のような作用をもたらす。ノイズを低減する目的では、トランジスタＱ１４をＯＦＦ，ＯＮする際の電流波形の傾きもより緩やかであることが好ましく、そのためには台形波定電流によって立下り，立上りの傾きを付与することが適している。しかしながらその場合、トランジスタＱ１４は、ＯＮ，ＯＦＦしている飽和領域から活性領域への移行が遅れることになり、その結果、通信線３上における電流応答に遅れが生じてしまう。
そこで、第２実施例では、トランジスタＱ１４のベース電流，並びにコレクタ電流を図５（ｅ）に示す波形にすることで、トランジスタＱ１４がＯＮ，ＯＦＦしている飽和領域から活性領域への移行は微小定電流により直ちに行い、その後は、台形波定電流の傾きによって電流を減少，増加させるようにしている。
【００３０】
ここで、図６には、トランシーバＩＣ４１の構成を従来構成の図９に対応した機能ブロック図で概念的に示している。即ち、トランシーバＩＣ４１は、トランシーバＩＣ１に、ベース電流ＯＮ／ＯＦＦ制御部６１とベース電流台形波制御部６２とを加えた構成となっており、トランジスタ１７：Ｔ１は、図４におけるトランジスタＱ１４に対応する。ベース電流ＯＮ／ＯＦＦ制御部６１は同定電流回路４２に対応し、ベース電流台形波制御部６２は同台形波定電流回路４４に対応する。
【００３１】
そして、トランジスタ１７のベースと定電流回路１９との間にはスイッチ６３が挿入されており、そのスイッチ６３の開閉はベース電流ＯＮ／ＯＦＦ制御部６１によって制御され、定電流回路１９の電流制御はベース電流台形波制御部６２によって行われる。従って、定電流回路１９及びスイッチ６３も定電流回路４２の一部を構成していることになる。
図６においては、ベース電流ＯＮ／ＯＦＦ制御部６１がスイッチ６３を開くことでトランジスタ１７を迅速にＯＦＦ状態にすると同時に、ベース電流台形波制御部６２が定電流回路１９の電流を台形波状に緩やかに変化させて、ノイズの発生を抑制するようになっている。
【００３２】
以上のように第２実施例によれば、送信信号のレベル変化に応じて、微小定電流の供給をＯＮ，ＯＦＦさせる定電流回路４２と、台形波電圧信号に応じて定電流出力がＯＮ，ＯＦＦされることで台形波定電流を供給する台形波定電流回路４４とを備え、駆動回路３４のカレントミラー回路３３を構成するトランジスタＱ１１及びＱ１３のベースに微小定電流と台形波定電流との合成電流を供給するようにした。
【００３３】
従って、トランジスタＱ１１及びＱ１３のベースには、送信信号のレベル変化に応じて微小定電流が供給されることで出力トランジスタＱ１４を直ちに飽和領域から活性領域に移行させることができ、その後は、台形波電圧信号に応じて供給される台形波定電流により出力電流変化の傾きが制御されるので、出力電流の急激な変化を極力抑制してノイズの発生を抑えると共に、出力電流応答を良好に維持することができる。
【００３４】
（第３実施例）
図７は本発明の第３実施例を示すものであり、第２実施例と異なる部分について説明する。第３実施例のトランシーバＩＣ（駆動制御装置）５１は、第２実施例のトランシーバＩＣ４１より定電流回路４２を削除したものである。この場合、出力トランジスタＱ１４における出力電流の変化は、図５（ｄ）に示す台形波定電流のみに基づいて行われる。即ち、電流制御の１つとして台形波のみを用いる方法である。
【００３５】
斯様に構成されるトランシーバＩＣ５１は、トランジスタＱ２０のエミッタ−ベース間電圧が必ず２Ｖbe以上となれば、トランジスタＱ１４のベース電流を確実にＯＦＦすることができる。この場合、第２実施例のトランシーバＩＣ４１に比較すると通信線３上における出力電流応答は若干遅れることになるが、その遅れは採用される通信速度等によっては問題にならない。従って、第１実施例のトランシーバＩＣ２０に比較した場合には、ノイズの抑制効果をより向上させることができる。
【００３６】
本発明は上記し又は図面に記載した実施例にのみ限定されるものではなく、以下のような変形が可能である。
第２実施例における微小定電流の値は、台形波定電流の１／１００以下のオーダーであれば個別の設計に応じて適宜変更すれば良い。
出力トランジスタ以外のトランジスタは、必要に応じてＭＯＳＦＥＴに置き換えても良い。また、ＦＥＴ＿Ｑ１６は、バイポーラトランジスタに置き換えても良い。
トランシーバＩＣに適用するものに限ることなく、信号の送信のみを行うトランスミッタＩＣに適用しても良い。
また、車両用の通信ネットワークに限ることなく、また、通信線上に通信信号を出力するための出力トランジスタを駆動制御するものであれば広く適用することができる。
【図面の簡単な説明】
【００３７】
【図１】本発明の駆動制御装置を車両用通信ネットワークのトランシーバＩＣに適用した場合の第１実施例であり、トランシーバＩＣの構成を示す回路図
【図２】（ａ）は送信信号のレベル変化に応じた出力トランジスタのベース電流変化を示す図、（ｂ）は従来構成における（ａ）相当図
【図３】信号の送信時において、電源線にノイズが印加された場合の入出力信号波形を示す図
【図４】本発明の第２実施例を示す図１相当図
【図５】図２（ａ）相当図
【図６】第２実施例の回路機能を概念的に説明する図
【図７】本発明の第３実施例を示す図１相当図
【図８】従来のトランシーバＩＣの構成を示す図６相当図
【図９】図３相当図
【符号の説明】
【００３８】
図面中、３は通信線、２０はトランシーバＩＣ（駆動制御装置）、２２は台形波信号生成回路、３３はカレントミラー回路、３４は駆動回路、３５は定電流回路（制御回路）、４１はトランシーバＩＣ（駆動制御装置）、４２は定電流回路（微小定電流回路，制御回路）、４４は台形波定電流回路（制御回路）、Ｑ１１はＮＰＮトランジスタ（主トランジスタ）、Ｑ１３はＮＰＮトランジスタ（副トランジスタ）、Ｑ１４はＰＮＰトランジスタ（出力トランジスタ）、５１はトランシーバＩＣ（駆動制御装置）を示す。
【図１】
0004760608.tif 000002
【図２】
0004760608.tif 000003
【図３】
0004760608.tif 000004
【図４】
0004760608.tif 000005
【図５】
0004760608.tif 000006
【図６】
0004760608.tif 000007
【図７】
0004760608.tif 000008
【図８】
0004760608.tif 000009
【図９】
0004760608.tif 000010